(57)【要約】【課題】工具保持フレームに取り付けられる工具に対して、二移動方向および回転に関して安定した位置決め効果をもたらすことができる工具保持フレームを提供する。【解決手段】工具保持フレームは、トラックベースと、位置決め板と、少なくとも１つの位置決めマウントとを有する。位置決め板は、トラックベース上に配置され、位置決めセグメントを有する。第１の位置決めセグメントは、湾曲した側縁を有する複数の位置決めブロックと複数の位置決め部とを有する。少なくとも１つの位置決めマウントは、トラックベースに摺動可能かつ回転可能に取り付けられる。各位置決めマウントは、環状位置決めフランジおよび第２の位置決めセグメントを有する。第２の位置決めセグメントは、位置決め部のうちの２つに選択的に係合する。【選択図】図１
2020203319.tif 000002
【特許請求の範囲】
【請求項１】
工具保持フレームにおいて、
長手状のシートであるトラックベースであって、
前記トラックベースの２つの側部にそれぞれ画定され、各々が開口部を有する２つのスライド溝であり、前記２つのスライド溝の前記開口部が互いに対向する、２つのスライド溝を有するトラックベースと、
前記トラックベース上に配置される位置決め板であって、
上面と、
前記位置決め板の前記上面に形成される第１の位置決めセグメントであって、
前記位置決め板の前記上面に形成され、前記位置決め板の前記上面から突出する複数の位置決めブロックであり、前記複数の位置決めブロックの間にそれぞれ複数の位置決め凹部を画定するように間隔をあけて一列に配置され、各位置決めブロックが前記位置決めブロックの２つの対向する側面に形成される２つの湾曲した側縁を有する、複数の位置決めブロックと、
前記位置決め板の前記上面に形成され、前記位置決め板の前記上面から突出し、前記位置決め凹部にそれぞれ保持される複数の位置決め部と、
を備える、第１の位置決めセグメントと、
を有する、位置決め板と、
前記トラックベースに摺動可能かつ回転可能に取り付けられる少なくとも１つの位置決めマウントであって、少なくとも１つの前記位置決めマウントの各々が、
前記スライド溝に摺動可能かつ回転可能に取り付けられるスライドシートであり、
底部と、
上部と、
前記スライドシートの前記底部に形成され、前記スライドシートの前記底部から下方に突出し、前記位置決め板の前記複数の位置決め凹部のうちの２つに選択的に係合する、環状位置決めフランジと、
前記位置決めフランジの底部に形成され、前記位置決めフランジに係合する２つの前記位置決め凹部に保持される２つの位置決め部と選択的に係合する、第２の位置決めセグメントと、
を有する、スライドシートと、
前記スライドシートの前記上部に形成され、前記スライドシートの前記上部から上方に突出する、突出要素と、
を有する、少なくとも１つの位置決めマウントと、
を備える、工具保持フレーム。
【請求項２】
前記少なくとも１つの位置決めマウントの各々の前記環状位置決めフランジが、
前記環状位置決めフランジに係合する前記２つの位置決め凹部の間に配置される前記複数の位置決めブロックのうちの少なくとも１つの位置決めブロックの２つの前記湾曲した側縁に選択的に当接する内面と、
前記環状位置決めフランジに係合する前記位置決め凹部に隣接する前記位置決めブロックの２つの前記湾曲した側縁に選択的に当接する外面と、
有する、請求項１に記載の工具保持フレーム。
【請求項３】
前記トラックベースが、
長手状で、且つ２つの側部を有する、底部パネルと、
前記底部パネルの前記２つの側部にそれぞれ配置される２つのレールと、
を備え、
前記２つのスライド溝が、それぞれ前記レールに画定され、
前記トラックベースの各レールが、前記レールの前記スライド溝の下に配置され、開口部を有する位置決め溝をさらに有し、
前記２つのレールの前記位置決め溝の前記開口部が互いに対向し、
前記位置決め板が、前記トラックベースの前記レールの前記位置決め溝に取り付けられる、請求項１または２に記載の工具保持フレーム。
【請求項４】
前記位置決め板が、
底面と、
前記位置決め板の２つの対向する側面でそれぞれ前記位置決め板の前記底面に形成され、前記位置決め板の前記底面から外方に突出し、前記トラックベースの前記レールの前記位置決め溝にそれぞれ取り付けられる、２つのレールバーと、
前記位置決め板の中央で前記位置決め板の前記底面に形成される凹部であり、前記位置決め板の中央と前記底部パネルの上面との間に空間を形成するように前記位置決め板の対向する側面と平行である、凹部と、
をさらに備える、請求項３に記載の工具保持フレーム。
【請求項５】
前記第１の位置決めセグメントの各位置決め部はリブであり、前記第１の位置決めセグメントの各位置決め部は、前記複数の位置決めブロックのうちの隣接する２つの位置決めブロックの２つの前記湾曲した側縁とそれぞれ接続される２つの端部を有する、請求項４に記載の工具保持フレーム。
【請求項６】
少なくとも１つの前記位置決めマウント各々の前記第２の位置決めセグメントは、前記位置決めマウントの前記位置決めフランジの前記底部に形成され、前記位置決めフランジの前記底部から突出し、間隔をあけて環状に配置される複数の歯を備える、請求項５に記載の工具保持フレーム。
【請求項７】
前記第１の位置決めセグメントの各位置決め部はリブであり、前記第１の位置決めセグメントの各位置決め部は、前記複数の位置決めブロックのうちの隣接する２つの位置決めブロックの２つの前記湾曲した側縁とそれぞれ接続される２つの端部を有する、請求項１または２に記載の工具保持フレーム。
【発明の詳細な説明】
【技術分野】
【０００１】
本発明は、工具保持フレームに関し、より詳細には、工具保持フレームに取り付けられる工具に、回転および二移動方向に関して安定した位置決め効果をもたらすことができる工具保持フレームに関する。
【背景技術】
【０００２】
図９を参照すると、従来のソケット保持フレームは、トラックベース、位置決め板、および複数の位置決めマウントを有する。トラックベースは、長手状である。位置決め板は、トラックベースに取り付けられ、位置決め板に形成され一列に配置される複数の第１の係合セグメントを有する。位置決めマウントは、トラックベースに摺動可能に取り付けられ、各位置決めマウントは、位置決めマウントの底部に形成され、環状に配置され、位置決め板の第１の係合セグメントに選択的に係合する、複数の第２の係合セグメントを有する。したがって、異なるサイズの複数のソケットが、それぞれ、位置決めマウントの周りに取り付けられ、位置決めマウントに位置決めされ得る。第１の係合セグメントと第２の係合セグメントとの間の係合により、位置決めマウントは、それぞれトラックベースに対して特定の位置および角度に位置決めされ得る。ソケットまたは位置決めマウントの一方が回転すると、ソケットのサイズを指すラベルは、ユーザがラベルを容易にチェックできるように特定の方向に回転され得る。
【０００３】
従来のソケット保持フレームの第１の係合セグメントは、間隔をあけて配置される複数の湾曲溝と、湾曲溝の間に形成される複数のリブとを備える。第２の係合セグメントは、環状に配置される複数の歯を備える。歯とリブとの間の係合により、複数の位置決めマウントは、それぞれトラックベースに対して特定の角度で保持され得る。
【０００４】
しかしながら、従来のソケット保持フレームの第１および第２の係合セグメントは、位置決めマウントに移動方向に沿った十分な位置決め効果をもたらすことができない。位置決め板の湾曲溝は位置決めマウントに位置決め効果をもたらすことができるが、湾曲溝は、１つの単一移動方向に沿った位置決め効果しかもたらすことができず、位置決めマウントに双方向の移動位置決め効果をもたらすことはできない。
【０００５】
図１０を参照すると、もう１つの従来のソケット保持フレームの第１の係合セグメントは、間隔をあけて一列に配置される複数の溝と、湾曲溝の底部にそれぞれ形成される複数のリブとを備える。第２の係合セグメントは、環状に配置される複数の歯を備える。リブと歯との間の係合により、位置決めマウントは、それぞれトラックベースに対して特定の角度に保持され得る。
【０００６】
しかしながら、湾曲溝は、位置決めマウントに一方向の移動位置決め効果しかもたらすことができず、したがって、位置決めマウントに係合セグメントによってもたらされる位置決め効果は十分ではない。位置決めマウントは、力がソケット保持フレームに加えられるとトラックベースに対して容易に移動される。
【０００７】
図１１を参照すると、さらに別の従来のソケット保持フレームの第１の係合セグメントは、位置決め板に沿って長手方向に延びるリブを備える。位置決めマウントの第２の位置決めセグメントのリブおよび歯の係合により、複数の位置決めマウントは、それぞれトラックベースに対して特定の角度に保持され得る。
【０００８】
しかしながら、従来のソケット保持フレームの係合セグメントは、位置決めマウントに回転に対する位置決め効果をもたらすことしかできず、移動のための位置決め効果に関して位置決めマウントに位置決め効果をもたらすことができない。したがって、位置決めマウントは、力がソケット保持フレームに加えられるとトラックベースに対して容易に移動される。
【発明の概要】
【発明が解決しようとする課題】
【０００９】
従来のソケット保持フレームの欠点を克服するために、本発明は、前述の問題を軽減しまたはうまく回避する工具保持フレームを提供する。
【００１０】
本発明の主な目的は、工具保持フレームに取り付けられる工具に対して、二移動方向および回転に関して安定した位置決め効果をもたらすことができる工具保持フレームを提供することである。
【課題を解決するための手段】
【００１１】
工具保持フレームは、トラックベース、位置決め板、および少なくとも１つの位置決めマウントを有する。トラックベースは、長手状のシート（座部）であり、トラックベースの２つの側部にそれぞれ画定される２つのスライド溝を有する。各レールは開口部を有し、２つのスライド溝の開口部は、互いに対向する。位置決め板は、トラックベースに配置され、上面および第１の位置決めセグメントを有する。第１の位置決めセグメントは、位置決め板の上面に形成され、複数の位置決めブロックおよび複数の位置決め部を有する。位置決めブロックは、位置決め板の上面に形成され、位置決め板の上面から突出し、複数の位置決めブロックの間にそれぞれ複数の位置決め凹部を画定するように間隔をあけて一列に配置される。各位置決めブロックは、位置決めブロックの２つの対向する側面に形成される２つの湾曲した側縁を有する。複数の位置決め部は、位置決め板の上面に形成され、位置決め板の上面から突出し、位置決め凹部にそれぞれ保持される。少なくとも１つの位置決めマウントは、トラックベースに摺動可能かつ回転可能に取り付けられる。少なくとも１つの位置決めマウントの各々は、スライドシート（スライド座部）および突出要素を有する。スライドシートは、レールのスライド溝に摺動可能かつ回転可能に取り付けられ、底部、上部、環状位置決めフランジ、および第２の位置決めセグメントを有する。環状位置決めフランジは、スライドシートの底部に形成され、スライドシートの底部から下方に突出し、位置決め板の複数の位置決め凹部のうちの２つに選択的に係合する。第２の位置決めセグメントは、位置決めフランジの底部に形成され、位置決めフランジに係合する２つの位置決め凹部に保持される２つの位置決め部に選択的に係合する。突出要素は、スライドシートの上部に形成され、スライドシートの上部から上方に突出する。
【００１２】
本発明の他の目的、利点、および新規な特徴は、添付の図面と併せて考慮すると次の詳細な説明からより明らかになるであろう。
【図面の簡単な説明】
【００１３】
【図１】本発明による工具保持フレームの部分斜視図である。
【図２】図１の工具保持フレームの別の部分斜視図である。
【図３】図１の工具保持フレームの拡大分解斜視図である。
【図４】図１の工具保持フレームの部分断面の部分斜視図である。
【図５】図１の工具保持フレームの動作断面上面図である。
【図６】図１の工具保持フレームの端面側における部分断面図である。
【図７】図１の工具保持フレームの側面側における部分断面図である。
【図８】図１の工具保持フレームの動作斜視図である。
【図９】従来のソケット保持フレームの分解斜視図である。
【図１０】別の従来のソケット保持フレームの分解斜視図である。
【図１１】さらに別の従来のソケット保持フレームの分解斜視図である。
【発明を実施するための形態】
【００１４】
図１〜図３を参照すると、本発明による工具保持フレームは、トラックベース１０、位置決め板２０、および少なくとも１つの位置決めマウント３０を備える。
【００１５】
トラックベース１０は長手状であり、金属製、好ましくはアルミニウム押出成形品である。トラックベース１０は、底部パネル１１および２つのレール１２を備える。底部パネル１１は、長手状である。２本のレール１２は、底部パネル１１の２つの側部にそれぞれ形成され、底部パネル１１の２つの側部から突出する。各レール１２は、スライド溝１４および位置決め溝１３を有する。スライド溝１４および位置決め溝１３の各々は、開口部を有する。スライド溝１４の開口部は互いに対向し、位置決め溝１３の開口部もまた互いに対向する。各レール１２の位置決め溝１３は、レール１２のスライド溝１４の下方に配置されている。
【００１６】
位置決め板２０は、２つのレール１２の間でトラックベース１０に取り付けられる。好ましくは、位置決め板２０は、弾性があり、トラックベース１０のレール１２の位置決め溝１３に取り付けられる。あるいは、位置決め板２０は、レール１２と一体的に接続されていてもよく、トラックベース１０の底部パネル１１として機能する。第１の実施形態においては、位置決め板２０は、２つの長尺な対向する側面、２つの自由端、中央、上面、底面、２つのレールバー２１、凹部２２、および位置決めセグメント２４を有する。位置決め板２０は、位置決め板２０の長尺な対向する側面から中央にかけて上方に曲げられている。２本のレールバー２１は、位置決め板２０の２つの長尺な対向する側面でそれぞれ位置決め板２０の底面に形成され、位置決め板２０の底面から外方に突出し、レール１２の位置決め溝１３にそれぞれ取り付けられる。あるいは、レールバー２１は、それぞれレール１２と一体的に接続される。凹部２２は、位置決め板２０の２つの自由端の間で位置決め板２０の中央で底面に形成され、位置決め板２０の長尺な対向する側面と平行であり、それによって、位置決め板２０の横断面は、位置決め板２０の中央がトラックベース１０に対して変形することができるように湾曲される。
【００１７】
位置決めセグメント２４は、位置決め板２０の２つの自由端の間で位置決め板２０の上面で且つ中央に形成される。位置決めセグメント２４は、複数の位置決めブロック２４２および複数の位置決め部２４４を備える。位置決めブロック２４２は、位置決め板２０の上面上に形成され、位置決め板２０の上面から突出し、位置決めブロック２４２の間にそれぞれ複数の位置決め凹部を画定するように間隔をあけて一列に配置される。各位置決めブロック２４２は、位置決めブロック２４２の２つの対向する側面に形成される２つの湾曲した側縁２４３を有する。位置決め部２４４は、位置決め板２０の上面上に形成され、位置決め板２０の上面から突出し、位置決め凹部にそれぞれ保持される。好ましくは、各部分２４４は、リブであり、２つの隣接する位置決めブロック２４２の２つの湾曲した側縁２４３とそれぞれ接続される２つの端部を有する。
【００１８】
少なくとも１つの位置決めマウント３０は、トラックベース１０に摺動可能かつ回転可能に取り付けられ、少なくとも１つの位置決めマウント３０の各々は、スライドシート３１および突出要素３２を有する。スライドシート３１は、円形で弾性があり、レール１２のスライド溝１４に摺動可能かつ回転可能に取り付けられる。スライドシート３１は、底部、上部、環状位置決めフランジ３１１、および第２の位置決めセグメント３１２を有する。環状位置決めフランジ３１１は、スライドシート３１の底部に形成され、スライドシート３１の底部から下方に突出し、位置決め板２０の複数の位置決め凹部のうちの２つに選択的に係合する。第２の位置決めセグメント３１２は、スライドシート３１の底部に形成され、スライドシート３１の底部から突出しており、第２の位置決めセグメント３１２は、複数の歯であって、位置決めマウント３０の位置決めフランジ３１１の底部に形成され、位置決めフランジ３１１の底部から突出し、間隔をあけて環状に配置される複数の歯を備える。したがって、第２の位置決めセグメント３１２は、形状が波形であり、第２の位置決めセグメント３１２の複数の歯のうちの隣接する２つは、複数の位置決め部２４４のうちの１つに選択的に係合する。
【００１９】
突出要素３２は、スライドシート３１の上部に形成され、スライドシート３１の上部から上方に突出する。突出要素３２は、中空であり、四角形であり、側面および突出ボール３２１を有する。突出ボール３２１は、突出要素３２の側面に取り付けられ、突出要素３２の側面から外方に延出する。
【００２０】
図４〜図７を参照すると、位置決めマウント３０をトラックベース１０上に配置するために、位置決めマウント３０のスライドシート３１は、トラックベース１０の両端の一方からレール１２のスライド溝１４に挿入される。その結果として、位置決めマウント３０は、トラックベース１０の所望の位置にスライドされる。このときに、環状位置決めフランジ３１１は、位置決め板２０の複数の位置決め凹部のうちの２つに係合し、スライドシート３１の直径の２つの端部の４つの歯が、位置決めフランジ３１１に係合する複数の位置決め凹部の２つの位置決め部に係合する。さらに、位置決めフランジ３１１に係合する複数の位置決め凹部の間の少なくとも１つの位置決めブロック２４２が、環状位置決めフランジ３１１によって画定される空間内に保持される。環状位置決めフランジ３１１の内面は、少なくとも１つの位置決めブロック２４２の２つの湾曲した側縁２４３に当接し、環状位置決めフランジ３１１の外面３１１２は、環状位置決めフランジ３１１に係合する複数の位置決め凹部に隣接する位置決めブロック２４２のうちの２つの位置決めブロック２４２の２つの湾曲した側縁２４３に当接する。位置決めフランジ３１１の内面および外面３１１２と位置決めブロック２４２の湾曲した側縁２４３との間の当接によって、位置決めマウント３０は、トラックベース１０に対して強固に所定位置に保持され得る。
【００２１】
あるいは、位置決めマウント３０の環状位置決めフランジ３１１が複数の位置決め凹部のうちの２つに保持される場合、位置決めフランジの内面および外面３１１２は、位置決めフランジの内面および外面３１１２と位置決めブロック２４２の湾曲した側縁２４３との間に隙間が形成されるように、隣接する位置決めブロック２４２の隣接する湾曲した側縁２４３から離隔されていてもよい。その結果として、位置決めマウント３０がトラックベース１０に対して押され、位置決めマウント３０はまた、環状位置決めフランジ３１１の内面または外面３１１２の、隣接する位置決めブロック２４２の湾曲した側縁２４３との当接により、トラックベース１０に対して所望の位置に位置決めされ得る。
【００２２】
この種の構成により、複数のソケットが、それぞれ複数の位置決めマウント３０の突出要素に着脱可能に取り付けられ得る。各ソケットが複数の位置決めマウント３０のうちの対応する１つの位置決めマウント３０の突出要素３２に取り付けられる場合、突出要素３２の突出ボール３２１は、ソケットに画定されるキャビティ（空洞部）に係合する。したがって、ソケットは、位置決めマウント３０の突出要素３２の所定位置に保持され得る。
【００２３】
ソケット上の数字または記号がユーザに面するように同じ方向に位置合わせされていない場合、ユーザは、ソケット６０の数字または記号がユーザに向くようにトラックベース１０に対して時計回りまたは反時計回りの方向にソケットを回転させることができる。図５〜図７を参照すると、上述の回転プロセス中に、位置決めマウント３０のスライドシート３１は、位置決めマウント３０の突出要素３２とソケットとの間の係合によって、位置決め板２０に対してソケットと共に回転され得る。ソケットが回転されると、第２の位置決めセグメント３１２の歯は、位置決めマウント３０のスライドシート３１または位置決め板２０の弾性により、第１の位置決めセグメント２４の対応する位置決め部２４４から係合解除されることになる。ソケットが所望の角度に回転されると、第２の位置決めセグメント３１２の別の４つの歯が、第１の位置決めセグメント２４の２つの位置決め部２４４に係合することになる。位置決めマウント３０は、ソケット上の数字または記号がユーザに向くようにトラックベース１０に対して特定の角度で強固に位置決めされることができ、ユーザは、容易にソケットを認識し使用することができる。
【００２４】
さらに、第１の位置決めセグメント２４の各位置決め部２４４は、ニップルまたはノブであってもよい。各位置決めマウント３０の位置決めフランジ３１１の第２の位置決めセグメント３１２は、位置決め部２４４のニップルまたはノブと選択的に係合する複数のキャビティを備えることができる。第１の位置決めセグメントと第２の位置決めセグメントとの間の係合によって、位置決めマウント３０は、トラックベース１０に対して所望の角度で保持され得る。
【００２５】
位置決めマウント３０の位置を変えるために、図８を参照すると、ソケットまたは位置決めマウント３０は、トラックベース１０に沿って直接移動され得る。位置決めマウント３０のスライドシート３１の環状位置決めフランジ３１１は、スライドシート３１または位置決め板２０の弾性により位置決め凹部から係合解除され、第２の位置決めセグメント３１２の歯もまた、同時に位置決め部２４４から係合解除される。さらに、少なくとも１つの位置決めブロックは、環状位置決めフランジ３１１によって形成される空間から離脱されることになる。その結果として、位置決めマウント３０は、様々な使用要求に合致するように、所望の位置までトラックベース１０に沿って迅速に摺動され得る。
【００２６】
位置決めマウント３０が所望の位置に移動されると、環状位置決めフランジ３１１は、位置決め板２０の別の２つの位置決め凹部に係合し、位置決めフランジ３１１の内面および外面３１１２は、対応する位置決めブロック２４２の湾曲した側縁２４３に当接する。
【００２７】
環状位置決めフランジ３１１の内面および外面３１１２が対応する位置決めブロック２４２の湾曲した側縁２４３に当接すると、二移動方向位置決め効果が、位置決めマウント３０にもたらされ得る。したがって、位置決めマウント３０は、トラックベースに対して強固に保持されることができ、大きな外力が工具保持フレームに加えられた場合でも容易に移動されない。
【図１】
2020203319.tif 000003
【図２】
2020203319.tif 000004
【図３】
2020203319.tif 000005
【図４】
2020203319.tif 000006
【図５】
2020203319.tif 000007
【図６】
2020203319.tif 000008
【図７】
2020203319.tif 000009
【図８】
2020203319.tif 000010
【図９】
2020203319.tif 000011
【図１０】
2020203319.tif 000012
【図１１】
2020203319.tif 000013